【手続補正書】
【提出日】平成18年6月9日(2006.6.9)
【手続補正１】
【補正対象書類名】特許請求の範囲
【補正対象項目名】全文
【補正方法】変更
【補正の内容】
【特許請求の範囲】
【請求項１】
複数ページにかかる画像データを含む画像形成ジョブを生成する生成手段と、
前記画像形成ジョブに含まれる前記画像データに基づいて用紙上に画像を形成する画像形成手段と、
前記画像形成手段による画像形成に用いられる用紙を積載し得る複数の用紙積載手段と、
前記複数の用紙積載手段から、前記画像形成ジョブにて用いる用紙が積載された用紙積載手段を指定する指定手段と、
前記複数の用紙積載手段から給紙される用紙の特性を検知する検知手段と、
前記指定手段により指定された用紙積載手段から給紙された用紙の特性が前記画像形成ジョブに含まれる用紙特性情報に対応するか否かを、前記検知手段の検知結果に基づいて判定する判定手段と、
前記画像形成ジョブを実行する前に、前記指定手段により指定された複数の用紙積載手段の各々から少なくとも１枚の用紙を給紙させて前記判定手段による判定をさせるよう制御する制御手段と、
を有することを特徴とする画像形成装置。
【請求項２】
前記検知手段は、前記複数の用紙積載手段の各々に設けられ、積載される用紙の有無をさらに検知し、
前記制御手段は、前記画像形成ジョブにかかる用紙が連続して給紙される用紙積載手段に対応する前記検知手段が用紙無しを検知したことに応じて、前記画像形成ジョブにかかる用紙が連続して給紙される用紙積載手段を前記指定手段が指定した他の用紙積載手段へ切り替えるよう制御する
ことを特徴とする請求項１に記載の画像形成装置。
【請求項３】
前記制御手段は、前記判定手段が前記複数の用紙積載手段から給紙される用紙の特性が前記用紙特性情報と対応しないと判定した場合、前記指定された複数の用紙積載手段からの給紙を停止させるよう制御する
ことを特徴とする請求項１又は２に記載の画像形成装置。
【請求項４】
前記複数の用紙積載手段の各々に前記用紙特性情報を設定する設定手段を有し、
前記指定手段は、前記画像形成ジョブに含まれる用紙特性情報と一致する用紙特性情報が前記設定手段により設定された用紙積載手段を指定する
ことを特徴とする請求項１乃至３のいずれかに記載の画像形成装置。
【請求項５】
前記指定手段により指定された全ての用紙積載手段に対応する前記検知手段が用紙無しを検知した場合、前記画像形成ジョブ用の用紙を補給すべき旨の警告をする警告手段を有する
ことを特徴とする請求項２に記載の画像形成装置。
【請求項６】
前記指定手段により指定された全ての用紙積載手段に対応する前記検知手段が用紙無しを検知した後、前記指定された用紙積載手段の少なくともいずれか１つに対応する検知手段が用紙有りを検知した場合、前記制御手段は、前記用紙の有りが検知された用紙積載手段から給紙される用紙について前記判定手段による判定をさせるべく、前記用紙の有りが検知された用紙積載手段から少なくとも１枚の用紙を給紙させるよう制御する
ことを特徴とする請求項５に記載の画像形成装置。
【請求項７】
複数ページにかかる画像データを含む画像形成ジョブを生成する生成手段と、
前記画像形成ジョブに含まれる前記画像データに基づいて用紙上に画像を形成する画像形成手段と、
前記画像形成手段による画像形成に用いられる用紙を積載し得る複数の用紙積載手段と、
前記複数の用紙積載手段から、前記画像形成ジョブにて用いる用紙が積載された用紙積載手段を指定する指定手段と、
前記複数の用紙積載手段から給紙される用紙の特性を検知する検知手段と、
前記指定手段により指定された用紙積載手段から給紙された用紙の特性が前記画像形成ジョブに含まれる用紙特性情報に対応するか否かを、前記検知手段の検知結果に基づいて判定する判定手段と、
前記指定手段により指定された用紙積載手段から給紙された用紙の特性について、前記判定手段による判定が行われたか否かを記憶する記憶手段と、
前記画像形成ジョブを実行する前に、前記判定手段による判定が行われていないと前記記憶手段により記憶されている用紙積載手段から給紙される用紙について前記判定手段による判定をさせるべく、前記判定手段による判定が行われていないと記憶されている用紙積載手段から少なくとも１枚の用紙を給紙させるよう制御する制御手段と、
を有することを特徴とする画像形成装置。
【請求項８】
前記検知手段は、前記複数の用紙積載手段の各々に設けられ、積載される用紙の有無をさらに検知し、
前記記憶手段は、特定の用紙積載手段に対応する前記検知手段が用紙無しを検出したことに応じて、前記特定の用紙積載手段について前記判定手段による判定が行われていないと記憶する
ことを特徴とする請求項７に記載の画像形成装置。
【請求項９】
前記検知手段は、前記複数の用紙積載手段の各々に設けられ、積載される用紙の有無をさらに検知し、
前記制御手段は、前記画像形成ジョブ用の用紙が連続して給紙される用紙積載手段に対応する前記検知手段が用紙無しを検知したことに応じて、前記画像形成ジョブ用の用紙が連続して給紙される用紙積載手段を前記指定手段が指定した他の用紙積載手段へ切り替えるよう制御する
ことを特徴とする請求項７に記載の画像形成装置。
【請求項１０】
前記制御手段は、前記判定手段が前記複数の用紙積載手段から給紙される用紙の特性が、前記指定された用紙積載手段に関する前記用紙特性情報と対応しないと判定した場合、前記指定された複数の用紙積載手段からの給紙を停止させるよう制御する
ことを特徴とする請求項７乃至９のいずれかに記載の画像形成装置。
【請求項１１】
前記複数の用紙積載手段の各々に対して用紙特性情報を設定する設定手段を有し、
前記指定手段は、前記画像形成ジョブに含まれる用紙特性情報と一致する用紙特性情報が前記設定手段により設定された用紙積載手段を指定する
ことを特徴とする請求項７乃至１０のいずれかに記載の画像形成装置。
【請求項１２】
前記指定手段により指定された全ての用紙積載手段に対応する前記検知手段が用紙無しを検知した場合、前記画像形成ジョブ用の用紙を補給すべき旨の警告をする警告手段を有する
ことを特徴とする請求項８又は９のいずれかに記載の画像形成装置。
【請求項１３】
前記指定手段により指定された全ての用紙積載手段に対応する前記検知手段が用紙無しを検知した後、前記指定された用紙積載手段の少なくともいずれか１つに対応する検知手段が用紙有りを検知した場合、前記制御手段は、前記用紙有りが検知された用紙積載手段から給紙される用紙について前記判定手段による判定をさせるべく、前記用紙有りが検知された用紙積載手段から少なくとも１枚の用紙を給紙させるよう制御する
ことを特徴とする請求項１２に記載の画像形成装置
【請求項１４】
画像データに基づいて用紙上に画像を形成する画像形成方法であって、
複数ページに対応する画像データを含む画像形成ジョブを生成する生成工程と、
用紙を積載し得る複数の用紙積載手段から給紙された用紙に画像を形成する画像形成工程と、
前記画像形成ジョブに指定された前記画像形成ジョブで使用する用紙の特性に関する用紙特性情報に基づいて、前記複数の用紙積載手段のうち前記用紙特性情報に対応する用紙積載手段を指定する指定工程と、
前記指定工程で指定された用紙積載手段から給紙された用紙の特性が前記用紙特性情報と対応するか否かを、前記用紙の特性を検知する検知部の検知結果に基づいて判定する判定工程と、
前記画像形成ジョブを実行する前に、前記指定工程で指定された複数の用紙積載手段の各々から少なくとも１枚の用紙を給紙させて前記判定工程による判定をさせるよう制御する制御工程と、
を有することを特徴とする画像形成方法。
【請求項１５】
画像データに基づいて用紙上に画像を形成する画像形成方法であって、
複数ページに対応する画像データを含む画像形成ジョブを生成する生成工程と、
用紙を積載し得る複数の用紙積載手段から給紙された用紙に画像を形成する画像形成工程と、
前記画像形成ジョブに指定された前記画像形成ジョブで使用する用紙の特性に関する用紙特性情報に基づいて、前記複数の用紙積載手段のうち前記用紙特性情報に対応する用紙積載手段を指定する指定工程と、
前記指定工程で指定された用紙積載手段から給紙された用紙の特性が前記用紙特性情報と対応するか否かを、前記用紙の特性を検知する検知部の検知結果に基づいて判定する判定工程と、
前記指定工程で指定された用紙積載手段から給紙された用紙の特性について、前記判定工程による判定が行われたか否かを記憶手段に記憶する記憶工程と、
前記画像形成ジョブを実行する前に、前記判定工程による判定が行われていないと前記記憶工程において記憶されている用紙積載手段から少なくとも１枚の用紙を給紙させるよう制御する制御工程と、
を有することを特徴とする画像形成方法。
【手続補正２】
【補正対象書類名】明細書
【補正対象項目名】００１１
【補正方法】変更
【補正の内容】
【００１１】
上記課題を解決するために、本発明による画像形成装置は、複数ページにかかる画像データを含む画像形成ジョブを生成する生成手段と、前記画像形成ジョブに含まれる前記画像データに基づいて用紙上に画像を形成する画像形成手段と、前記画像形成手段による画像形成に用いられる用紙を積載し得る複数の用紙積載手段と、前記複数の用紙積載手段から、前記画像形成ジョブにて用いる用紙が積載された用紙積載手段を指定する指定手段と、前記複数の用紙積載手段から給紙される用紙の特性を検知する検知手段と、前記指定手段により指定された用紙積載手段から給紙された用紙の特性が前記画像形成ジョブに含まれる用紙特性情報に対応するか否かを、前記検知手段の検知結果に基づいて判定する判定手段と、前記画像形成ジョブを実行する前に、前記指定手段により指定された複数の用紙積載手段の各々から少なくとも１枚の用紙を給紙させて前記判定手段による判定をさせるよう制御する制御手段とを有することを特徴とする。
【手続補正３】
【補正対象書類名】明細書
【補正対象項目名】００１２
【補正方法】変更
【補正の内容】
【００１２】
また、本発明による画像形成装置は、複数ページにかかる画像データを含む画像形成ジョブを生成する生成手段と、前記画像形成ジョブに含まれる前記画像データに基づいて用紙上に画像を形成する画像形成手段と、前記画像形成手段による画像形成に用いられる用紙を積載し得る複数の用紙積載手段と、前記複数の用紙積載手段から、前記画像形成ジョブにて用いる用紙が積載された用紙積載手段を指定する指定手段と、前記複数の用紙積載手段から給紙される用紙の特性を検知する検知手段と、前記指定手段により指定された用紙積載手段から給紙された用紙の特性が前記画像形成ジョブに含まれる用紙特性情報に対応するか否かを、前記検知手段の検知結果に基づいて判定する判定手段と、前記指定手段により指定された用紙積載手段から給紙された用紙の特性について、前記判定手段による判定が行われたか否かを記憶する記憶手段と、前記画像形成ジョブを実行する前に、前記判定手段による判定が行われていないと前記記憶手段により記憶されている用紙積載手段から給紙される用紙について前記判定手段による判定をさせるべく、前記判定手段による判定が行われていないと記憶されている用紙積載手段から少なくとも１枚の用紙を給紙させるよう制御する制御手段とを有することを特徴とする。
【手続補正４】
【補正対象書類名】明細書
【補正対象項目名】００１３
【補正方法】変更
【補正の内容】
【００１３】
上記課題を解決するために、本発明による画像形成方法は、画像データに基づいて用紙上に画像を形成する画像形成方法であって、複数ページに対応する画像データを含む画像形成ジョブを生成する生成工程と、用紙を積載し得る複数の用紙積載手段から給紙された用紙に画像を形成する画像形成工程と、前記画像形成ジョブに指定された前記画像形成ジョブで使用する用紙の特性に関する用紙特性情報に基づいて、前記複数の用紙積載手段のうち前記用紙特性情報に対応する用紙積載手段を指定する指定工程と、前記指定工程で指定された用紙積載手段から給紙された用紙の特性が前記用紙特性情報と対応するか否かを、前記用紙の特性を検知する検知部の検知結果に基づいて判定する判定工程と、前記画像形成ジョブを実行する前に、前記指定工程で指定された複数の用紙積載手段の各々から少なくとも１枚の用紙を給紙させて前記判定工程による判定をさせるよう制御する制御工程とを有することを特徴とする。
【手続補正５】
【補正対象書類名】明細書
【補正対象項目名】００１４
【補正方法】変更
【補正の内容】
【００１４】
また、本発明による画像形成方法は、画像データに基づいて用紙上に画像を形成する画像形成方法であって、複数ページに対応する画像データを含む画像形成ジョブを生成する生成工程と、用紙を積載し得る複数の用紙積載手段から給紙された用紙に画像を形成する画像形成工程と、前記画像形成ジョブに指定された前記画像形成ジョブで使用する用紙の特性に関する用紙特性情報に基づいて、前記複数の用紙積載手段のうち前記用紙特性情報に対応する用紙積載手段を指定する指定工程と、前記指定工程で指定された用紙積載手段から給紙された用紙の特性が前記用紙特性情報と対応するか否かを、前記用紙の特性を検知する検知部の検知結果に基づいて判定する判定工程と、前記指定工程で指定された用紙積載手段から給紙された用紙の特性について、前記判定工程による判定が行われたか否かを記憶手段に記憶する記憶工程と、前記画像形成ジョブを実行する前に、前記判定工程による判定が行われていないと前記記憶工程において記憶されている用紙積載手段から少なくとも１枚の用紙を給紙させるよう制御する制御工程とを有することを特徴とする。